(57)【要約】【課題】タンパク質結晶等の精製にあたって、タンパク質の過飽和溶液の濃度と結晶化剤溶液の濃度比や温度等の結晶生成条件を試行錯誤的・経験的に行う従来手法に代わって、結晶成長・生成の過程を大視野で連続に観測しながら良質なタンパク質等結晶を人為的に迅速に精製する方法と装置を提供する。【解決手段】平行走査レーザ照射光をタンパク質の過飽和溶液等の混合溶液に照射し、照射光中のタンパクの分子・結晶核生成粒子等の側方と前方のラマン散乱、レーリー散乱し、光熱偏向光、光回折パターンなどの散乱光の情報を大視野で測定しモニタリングしながら、レーザ光力によってタンパク質分子や結晶核を凝集させて結晶を迅速に精製する。【選択図】    図１
2005306827.tif 000002
【特許請求の範囲】
【請求項１】
広い光照射領域を持つ走査レーザ平行光束を、透明容器等に入れたタンパク質等の過飽和水溶液と結晶化剤溶液の混合液に照射して、走査レーザ光束によってタンパク質等分子を光捕捉して凝集させ、結晶核の生成を人為的に行い、結晶の生成時間を飛躍的に速め、結晶生成を効率的に行うことを特徴とするタンパク質等結晶を精製する生体高分子結晶迅速精製・計測の方法。
【請求項２】
観測しながらタンパク等結晶迅速精製を効率よく行なうために、コヒーレントな１波長または多波長のレーザ光をポンプ光とプローブ光として同軸で混合し、それを平行走査光束としてタンパク質等過飽和水溶液と結晶化剤溶液の混合液に大視野照射することによって、分子の大視野蛍光測定、ナノサイズタンパク核等粒子の大視野での側方レーリー光散乱、偏光比、蛍光、ラマン散乱光および前方での大視野光熱偏向光、の情報をイメージインテンシファイヤ付ＣＣＤカメラ等で画像取得し、また、前記の光情報を併用して、大量ナノ粒子群の同時画像測定を行い，さらに、ミクロンサイズの粒子に成長した結晶を前方微小角光散乱で計測を同時に行って、タンパク等結晶を構成する一連の生成過程を分子・粒子・結晶核・結晶の組成・サイズ・空間分布・密度・挙動等大視野でモニタリングし、結晶の生成条件を明らかにすることを可能とする、生体高分子結晶迅速精製・計測の方法。
【請求項３】
前記請求項１、請求項２の照射平行レーザ光は、コヒーレントな１波長または多波長光をポンプ光とプローブ光として同軸で混合して成る１本の光線を、凸レンズの前焦点面に置かれた走査鏡か、または第２の凸レンズの後焦点面であり第１の凸レンズの前焦点である位置に置かれた走査鏡に当てて得られる拡大平行光束から成り、ポンプ光はタンパク質等分子の共鳴吸収波長に合わせて選択される、ことを特徴とするレーザ光照射方法を用いた、タンパク等結晶を精製制御と計測を行う、生体高分子結晶迅速精製・計測の方法。
【請求項４】
多波長レーザ光束平行走査照射によって大視野中でのナノサイズのタンパク等の核粒子が光熱変化を起こして、プローブ光が偏向するが、そのプローブ光の偏向光を凸レンズの後焦点面上でＣＣＤカメラ等の光強度画像測定器で捕捉し、後焦点面上での照射平行光束の光軸中心からの偏移角ごとの光強度分布を求めて、焦点面上での角度ごとの光強度の大きさから、混合液中のタンパク質等ナノ粒子群の大きさと数密度の分布を知ることを特徴とするナノ粒子群の計測を行う、生体高分子結晶迅速精製・計測の方法。
【請求項５】
タンパク質等結晶精製混合溶液中等でミクロンサイズに成長した結晶核の形状やサイズを実時間観測しつつ結晶の良否を判定するために、平行レーザ光束中の結晶核による前方微小角散乱光（光回折パターン）をフーリエ変換レンズの後焦点面上でＣＣＤカメラで撮り込み判別し、または、焦点面上に設置した多重マッチトフィルタで識別して、質の良くない結晶であればレーザ光照射を止めて溶解させ、質のよい結晶だけを成長させることを特徴とする、タンパク等結晶の生長を観測・制御する生体高分子結晶迅速精製・計測の方法。
【請求項６】
タンパク等結晶の迅速精製および粒子・微粒子測定のために使用する装置であって、レーザ光源、前記レーザ光源からのレーザ光を平行に照射するレーザ照射手段、被測定・制御物である結晶精製混合溶液等を入れる透明容器およびその保持手段、照射平行光の収束と前方散乱信号光取得のための凸レンズを含めた光学系、前記混合溶液からの信号光の情報の取得・撮影手段、前記光情報の処理・表示の手段、等の装置を備え、タンパク等結晶の生成過程の各段階を実時間で計測・観測しながら結晶の精製を制御する、生体高分子結晶迅速精製・計測の装置。
【請求項７】
前記請求項１〜請求項５に記載の方法に使用する装置であって、生体高分子結晶迅速精製・計測の装置を構成する、分子の大視野蛍光測定装置、側方レーリー散乱および光熱偏向分光によるナノ粒子群大視野測定装置、ナノ粒子・ミクロン粒子同時大視野計測装置、タンパク微粒子等の捕捉・制御装置、ミクロン粒子のサイズと結晶形状の大視野測定装置および結晶精製制御装置、等を含む前記請求項６に記載の各手段を備える、個々の装置。
【発明の詳細な説明】
【技術分野】
【０００１】  本発明は、少量のタンパク過飽和溶液から良質で大型のタンパク質結晶の迅速精製を行うなど生体高分子の結晶迅速精製を、結晶化条件を大視野で定量把握しながら可能とする方法およびその装置に関するものであり、また、ナノサイズ生体細胞とタンパク等の相互作用の大視野定量可視化を可能とする方法およびその装置に関するものである。すなわち、本発明は、タンパク核生成等微粒子のレーザ光捕捉制御、タンパク質結晶迅速精製、および結晶核微粒子・結晶粒子等の計測、についての方法と装置に関するものである。更に詳細に述べると以下のようである。すなわち、レーザ光捕捉によって少量溶液中の分子・結晶核を収集凝集させ、少量のタンパク質等過飽和溶液から大型結晶の迅速生成促進を可能にするための方法および装置に関するものであり、大視野での極微細粒子の蛍光分子計測とナノ結晶核の側方レーリー光散乱測定により、結晶化条件を大視野定量把握しつつ良質タンパク質等結晶の精製を可能とするための計測の方法および装置に関するものであり、大視野の、蛍光分子測定・分光画像測定・ラマン散乱測定の併用によって、タンパク質分子・生体細胞の相互作用の大視野定量可視化を可能にする可視化の方法および装置に関するものであり、結晶核の形状・サイズ等核の成長過程の連続モニタリングを可能にする方法および装置に関するものである。
【背景技術】
【０００２】  従来より、タンパク質結晶等の精製にあたっては、結晶成長・生成の過程を連続に明確に観察把握したものはなく、タンパク質の過飽和溶液の濃度と結晶化剤溶液の濃度比や温度等の結晶生成条件を試行錯誤的に見つけるという経験的手法をとるのが一般的であった。例えば、最新研究として、過飽和溶液と結晶化剤溶液の濃度の溶解度曲線を含む相図を描き、相図中の準安定領域で結晶化条件を探すという特許文献１に示すｒａｔｉｏｎａｌ（合理的）法が提案されたが、それでさえ、未だ試行錯誤的である。【０００３】
【特許文献１】  特開２００４−２６５２８：特願２００２−１８１９８８，日本原子力研究所，発明者；新村信雄，大西裕季，新井栄揮，茶竹俊之，前田満，栗原和男
【０００４】  良質結晶の判定は最終的には中性子線等結晶構造解析で行われるが、なお、提案されている最新の、結晶生成過程での良否の簡易判定法は，［Ｗｉｌｓｏｎ  Ｐｌｏｔ法：中性子溶液小角散乱による散乱強度分布測定（日本原子力研究所・新村ら），動的光散乱法：レーザ照射蛋白核のブラウン運動による粒径分布測定；非特許文献１（理学電機（株）・山野）］がある。しかしこれらのいずれの判定法も溶液中の結晶核の局所的測定であり、生長過程を大視野で連続観測するには不適であり、タンパク結晶等の生長過程を大視野で連続に測定し、溶液中での結晶の良否の簡易判定を大視野で連続的に可能とする従来法はない。【０００５】
【非特許文献１】  山野昭人「動的光散乱の結晶化への応用」，構造生物Ｖｏｌ．３，Ｎｏ．２（１９９７−７）６９−７６
【０００６】  さらに、タンパク分子の核形成など成長過程の微細な粒子からの情報を明確に連続把握できる方法は従来に無く、結晶成長を制御できなかった。【０００７】  また、タンパク質結晶成長過程の観察を大視野で微細に計測できる実験手法は従来には無く、結晶核生成過程の大視野での観察例は皆無である（走査型近接場原子間力顕微鏡（ＳＮＯＡＭ）を使った局所的観測例が最新研究である）。そして、極く微細な粒子の測定法として例えば、超純水中に空間分布するナノオーダサイズの粒子群の大きさ、数密度や挙動を大視野で迅速定量可視化する方法は、未だ確立されていない。また、生体細胞と蛋白質の相互作用の迅速把握の可能な分子・ナノ粒子の大視野可視化法は未だ開発されていない。【０００８】  このようなことから、医学的・社会的に解決が求められている医療用薬剤等の開発に欠くことのできない良質なタンパク質結晶の精製と開発の過程には、タンパク分子が凝集して結晶核を生成する過程を連続計測する有効な手段が無く、良質なタンパク結晶の生成過程が明確に把握できず、良質タンパク結晶の生成条件が明らかにならないから、膨大な試行錯誤の結果として、必要な結晶を得ていた。また、従来の技術では、良質結晶生成の判定を結晶の精製過程で判定する手段が無かった。さらに、従来の技術では、人為的に結晶核生成を速めて目的の結晶を得るという考えが無く、膨大な作業と時間経過の後でないと必要なものが入手できないという欠点があった。
【発明が解決しようとする課題】
【０００９】  本発明は前記の緊急な医学的・社会的な問題で、以下のような課題を解決しようとするものである。
タンパク質結晶等の精製にあたって、結晶生成・成長の過程を連続に明確に観察把握が可能な装置と方法の提供を行う。人為的に結晶核生成を速めて目的の結晶を得るための結晶成長の制御を行い、従来膨大な作業と時間経過を要した作業の軽減と時間の短縮を図る。溶液中に空間分布するナノオーダサイズの粒子群の大きさ、数密度や挙動を大視野で迅速定量可視化する方法を提供し、結晶核生成過程の大視野での観察を可能とする。溶液中での結晶の良否の簡易判定を成長の各段階で大視野連続的に行い得る、タンパク質等結晶の生成過程の連続観測・結晶精製過程の制御・結晶精製過程での結晶の質の簡易判定を可能にする装置と方法の提供を行う。
【課題を解決するための手段】
【００１０】  このため、本発明が採用した技術解決手段は、
（１）広い光照射領域を持つ走査レーザ平行光束を、透明容器等に入れたタンパク質等の過飽和水溶液と結晶化剤溶液の混合液に照射して、走査レーザ光束によってタンパク質等分子を光捕捉して凝集させ、結晶核の生成を人為的に行い、結晶の生成時間を飛躍的に速め、結晶生成を効率的に行うことを特徴とするタンパク質等結晶を精製する生体高分子結晶迅速精製・計測の方法、にある。
（２）また、観測しながらタンパク等結晶迅速精製を効率よく行なうために、コヒーレントな１波長または多波長のレーザ光をポンプ光とプローブ光として同軸で混合し、それを平行走査光束としてタンパク質等過飽和水溶液と結晶化剤溶液の混合液に大視野照射することによって、分子の大視野蛍光測定、ナノサイズタンパク核等粒子の大視野での側方レーリー光散乱、偏光比、蛍光、ラマン散乱光および前方での大視野光熱偏向光、の情報をイメージインテンシファイヤ付ＣＣＤカメラ等で画像取得し、また、前記の光情報を併用して、大量ナノ粒子群の同時画像測定を行い，さらに、ミクロンサイズの粒子に成長した結晶を前方微小角光散乱で計測を同時に行って、タンパク等結晶を構成する一連の生成過程を分子・粒子・結晶核・結晶の組成・サイズ・空間分布・密度・挙動等大視野でモニタリングし、結晶の生成条件を明らかにすることを可能とする、生体高分子結晶迅速精製・計測の方法、にある。
（３）さらに、多波長レーザ光束平行走査照射によって大視野中でのナノサイズのタンパク等の核粒子が光熱変化を起こして、プローブ光が偏向するが、そのプローブ光の偏向光を凸レンズの後焦点面上でＣＣＤカメラ等の光強度画像測定器で捕捉し、後焦点面上での照射平行光束の光軸中心からの偏移角ごとの光強度分布を求めて、焦点面上での角度ごとの光強度の大きさから、混合液中のタンパク質等ナノ粒子群の大きさと数密度の分布を知ることを特徴とするナノ粒子群の計測を行う、生体高分子結晶迅速精製・計測の方法、にある。
（４）さらにまた、タンパク質等結晶精製混合溶液中等でミクロンサイズに成長した結晶核の形状やサイズを実時間観測しつつ結晶の良否を判定するために、平行レーザ光束中の結晶核による前方微小角散乱光（光回折パターン）をフーリエ変換レンズの後焦点面上でＣＣＤカメラで撮り込み判別し、または、焦点面上に設置した多重マッチトフィルタで識別して、質の良くない結晶であればレーザ光照射を止めて溶解させ、質のよい結晶だけを成長させることを特徴とする、タンパク等結晶の生長を観測・制御する生体高分子結晶迅速精製・計測の方法、にある。
（５）タンパク等結晶の迅速精製および粒子・微粒子測定のために使用する装置であって、レーザ光源、前記レーザ光源からのレーザ光を平行に照射するレーザ照射手段、被測定・制御物である結晶精製混合溶液等を入れる透明容器およびその保持手段、照射平行光の収束と前方散乱信号光取得のための凸レンズを含めた光学系、前記混合溶液からの信号光の情報の取得・撮影手段、前記光情報の処理・表示の手段、等の装置を備え、タンパク等結晶の生成過程の各段階を実時間で計測・観測しながら結晶の精製を制御する、生体高分子結晶迅速精製・計測の装置、にある。
【発明の効果】
【００１１】  本発明は以下のような効果があった。
（１）請求項１記載の方法によれば、従来のタンパク質結晶等の作成では結晶核の生成が自然に任せて行われるのを待つという状態であったが、本発明によれば、結晶核生成に人為的な制御を行い目的の結晶を得るための結晶成長を速めて、従来膨大な作業と時間経過を要した作業の軽減と時間の短縮を図る、効果があった。
（２）請求項２記載の方法によれば、タンパク質結晶等の精製にあたって、結晶生成・成長の過程を連続に明確に観察把握が可能となり、溶液中に空間分布するタンパク分子、ナノサイズのタンパク核粒子、凝集粒子や結晶核等生成過程の粒子群の大きさ、数密度や挙動を大視野で迅速連続的にモニタリングすることが可能となり、タンパク質等結晶の生成条件を明らかにすることを可能にするという効果があった。
（３）請求項４記載の方法によれば、多波長レーザ光束平行走査照射によって大視野中でのナノサイズのタンパク等の核粒子が光熱変化を起こして、プローブ光が偏向するが、そのプローブ光の偏向光を凸レンズの後焦点面上でＣＣＤカメラ等の光強度画像測定器で捕捉し、後焦点面上での照射平行光束の光軸中心からの偏移角ごとの光強度分布を求めて、焦点面上での角度ごとの光強度の大きさから、混合液中のタンパク質等ナノ粒子群の大きさと数密度の分布を知ることができ、生体高分子結晶迅速計測・精製に効果があった。
（４）請求項５記載の、タンパク質等結晶精製混合溶液中等でミクロンサイズに成長した結晶核の形状やサイズを実時間観測しつつ結晶の良否を判定するために、平行レーザ光束中の結晶核による前方微小角散乱光（光回折パターン）をフーリエ変換レンズの後焦点面上でＣＣＤカメラで撮り込み判別し、または、焦点面上に設置した多重マッチトフィルタで識別して、タンパク質等結晶精製混合溶液中等でミクロンサイズに成長した結晶核の形状やサイズを実時間観測しつつ結晶の良否を判定するために質の良くない結晶であればレーザ光照射を止めて溶解させる方法によれば、質のよい結晶だけを成長させることが可能になり、タンパク等結晶の生長を観測・制御する生体高分子結晶迅速計測・精製に効果があった。
（５）請求項６記載の、タンパク等結晶の迅速精製および粒子・微粒子測定のために使用する装置であって、レーザ光源、前記レーザ光源からのレーザ光を平行に照射するレーザ照射手段、被測定・制御物である結晶精製混合溶液等を入れる透明容器およびその保持手段、照射平行光の収束と前方散乱信号光取得のための凸レンズを含めた光学系、前記混合溶液からの信号光の情報の取得・撮影手段、前記光情報の処理・表示の手段、等の装置を備え、タンパク等結晶の生成過程の各段階を実時間で計測・観測しながら結晶の精製を制御する装置によれば、生体高分子結晶迅速計測と精製に効果があった。
【発明を実施するための最良の形態】
【００１２】  図１に、タンパク質等結晶精製をタンパク質等分子の空間分布や結晶核を生成するナノ粒子からミクロン粒子であるタンパク結晶の精製までを計測し、制御するための方法および装置構成の説明図を示す。以下、本実施の形態では、主に一例として、タンパク結晶の生成過程の計測と制御に関する説明をするが、本発明は、これに限らず、生体高分子結晶の生成過程の計測と精製制御等に適用することができる。
本発明が採用した実施の形態は、以下のようである．
（１）例えば、５３２ｎｍ波長の半導体レーザ励起固体レーザ光源１からのポンプ光と、６３２．８ｎｍ波長のＨｅ−Ｎｅレーザを光源２とするプローブ光を、ハーフミラー３を介して同軸混合して、ミラー４で方向を変えて、例えば、焦点距離ｆ＝１５０ｍｍ，口径Ｄ＝１５０ｍｍの凸レンズＬ１，６の前焦点面に置いた走査ミラー５（ガルバノスキャンミラー，走査角度±２０°，共振周波数帯１．５ｋＨｚ）に照射して、二次元走査平行光束７をつくる。走査平行レーザ光束７は凸レンズＬ２，８によって後焦点面で収束され、ライトストップ９によって粒子等によって乱されなかった平行光束だけが遮断される。二次元平行光束７と凸レンズＬ２，８等によって構成される測定視界の中にタンパク質結晶生成用混合液が入った透明容器１０を置けば、容器１０内のタンパク結晶生成溶液内のタンパク分子，タンパク核生成粒子や結晶核の測定視界の構成と結晶生成制御の場がつくられる。なお、本発明では、走査ミラー５を後焦点面に置いた凸レンズＬ３，３１をレーザ光束中に挿入して、凸レンズＬ１，６と組み合わせて二つのレンズの焦点距離の比によってレーザ光の直径を縮小または拡大した平行光として照射光の単位断面積あたりの光エネルギーが変えられるようにして、タンパク等分子の光捕捉が効率的に行えることも特徴としているが、凸レンズＬ３，３１を挿入しない場合は、平行走査光束中の１本の照射レーザ光は凸レンズＬ１，６の後焦点面で収束するから、その位置あたりを中心に透明容器１０を設置すれば、結晶核は照射光の収束点あたりに形成される。
（２）ここでタンパク分子からの蛍光やラマン散乱光を微弱光測定器であるＡＰイメージャカメラ１１で微弱光を面的に捉えるが、同時にファイバオプティックス１２で蛍光や散乱光を撮影して、分光器が２台逆方向に繋がれている分光器１３に送り、分光器１３で分光画像測定してタンパク分子の組成・成分ごとの空間分布や密度を観測・測定すると共に、空間分布するナノ粒子群からの側方レーリー散乱光をＡＰイメージャカメラで画像撮影して、粒子径の６乗に比例した散乱光強度画像から粒子群のサイズごとの空間分布と挙動を測定して、タンパク分子の凝集から結晶核生成の過程を定量的に把握しながら光マニピュレートによって結晶核生成を制御した。なお、モーションコーダ１４はＡＰイメージャカメラ１１からの散乱光画像等を連続大量記録するために用いられ、データ処理装置１５は空間分布するタンパク分子が凝集して結晶核を構成する過程の情報を総合的に処理して表示する機能を持っている。
（３）上記（２）と並列に、ナノサイズの凝集分子や結晶核がポンプ光を吸収して散乱するラマン散乱光と光熱偏向によるプローブ光の偏向は、凸レンズＬ２，８の後焦点面上に設置された透明同心円状の形状を持つ光電変換器２１によって、また、同じく後焦点面上の光強度分布を撮影するＣＣＤカメラ２２によって捉えられる。ラマン散乱光はＣＣＤカメラ２２によって処理され、タンパク分子や結晶核の組成の確認に用いられ、光電変換器２１で光軸中心からの角度ごとの光強度分布を測定することによって、タンパク分子や結晶核の組成やサイズごとの空間分布が測定される。光熱偏向分光では、ナノ粒子のサイズが小さいほど微弱な偏向光が外側に拡がることを測定原理として、ナノ粒子群のサイズごとの空間分布が測定される。なお、本発明の大視野光熱偏向分光法ではナノ粒子が凸レンズＬ２，８の前方の透明容器１０内のどの位置にあっても粒子サイズごとの偏向光の角度は凸レンズＬ２，８の後焦点面上で一定であることを特徴とするものである。従って、１個ずつの粒子サイズごとの偏向光の偏向角とその位置での光強度を標準粒子で較正しておいて、偏向光の角度ごとの光強度を測定すれば、粒子サイズごとの空間分布が分かる。光電変換器２１およびＣＣＤカメラ２２からの光情報は画像処理装置２３によって前記した測定各原理に従って処理され、粒子のサイズごとの空間分布や粒径・密度の変化が迅速に表示される。
（４）ミクロンオーダに成長した結晶からは前方微小角散乱（光回折パターン）が凸レンズＬ２，８の後焦点面上に現れる。ＣＣＤカメラ２２によってこの光回折パターンを捉えて結晶の形状とサイズを判定する。サイズと形状が全く同じ結晶では、結晶が凸レンズＬ２，８の前方の透明容器１０内のどの位置にあっても凸レンズＬ２，８の後焦点面には全く同じ光回折パターンが光軸を中心にした同じ位置に現れる。
（５）本発明では、蛍光標識したタンパク質分子は安定核が形成される瞬間に蛍光量は消散するが、結晶核が成長してナノオーダになると側方レーリー散乱光が観測されから、蛍光標識したタンパク質分子の凝集場所を可視化するための溶液蛍光濃度大視野定量可視化を行い、側方レーリー散乱光の観測・計測を行い、タンパク結晶核粒子のレーザ光による捕捉と収集を行い、タンパク結晶核の凝集をレーザ・マニピュレートによって誘起する結晶生成制御を行い、生成される結晶の形状を前方微小角散乱（光回折パターン）でモニタしつつ結晶精製の評価を行い、質の良くない結晶であればレーザ光照射を止めて、溶液を撹拌して結晶を溶解させ、質のよい結晶だけを成長させるような、タンパク結晶の経済的な生成を行った。
（６）本発明は、一連のタンパク質結晶の生成を大視野モニタリングしながら光遠隔制御する、ということを特徴とするタンパク質等の結晶核・結晶の迅速精製の方法とその装置に関するものであり、また、それらの測定法・測定装置および制御法・制御装置に関するものであった。
実施例は上述した通りであるが、資料蛋白質の一例として、蛍光標識したニワトリ卵白リゾチームタンパク質過飽和水溶液と結晶化剤ＮａＣｌ溶液の混合液に、やや透明性が低かったがポンプ光として半導体励起固体レーザの４８８ｎｍまたは５３２ｎｍ波長の細いレーザ光を３０〜５０ｍｍ幅の比較的大視野で平行走査照射し、タンパク結晶の精製実験を行った例を示すと、従来のタンパク結晶精製にかかる１日程度以上の時間に対して十分間程度以内で結晶が生成され、本発明の効果が明らかになった。
【産業上の利用可能性】
【００１３】  本発明は、創薬の基礎となるタンパク質結晶などを迅速に精製できるから、製薬産業分野、基礎医学・医療研究分野・臨床医学研究分野での利用に供することができる。また、バイオ関連産業分野への利用可能性は高く、さらに，計測手段として、超純水製造・利用分野や無菌医療・治療室の大気汚染防止・空調環境整備等の産業に利用されることは大である。
【図面の簡単な説明】
【００１４】
【図１】本発明の方法を説明するための概略図と本発明を実施するための装置の概略構成図である。
【符号の説明】
【００１５】  １      ポンプ光用レーザ光源
２      プローブ光用レーザ光源
３      ハーフミラー
４      ミラー
５      走査鏡
６      凸レンズ
７      平行走査レーザ光束
８      凸レンズ
９      ライトストップ（遮光器）
１０    混合液容器
１１    ＡＰイメージャカメラまたはイメージインテンシファイヤ付ＣＣＤカメラ
１２    微弱光画像撮影アレイまたはファイバ束微弱光画像増幅器
１３    分光画像測定器
１４    モーションコーダまたは大量画像情報蓄積・排出器
１５    データ処理器
２１    透明同心円状光電変換測定器
２２    ＣＣＤカメラ
２３    画像情報処理装置
３１    凸レンズ
【図１】
2005306827.tif 000003